(57)【要約】【課題】視聴覚情報を介してタスク操作期間を運転者が好感を認識する周期に同調させることができる運転支援装置を提供する。【解決手段】運転者による操作手段の一連操作からなるタスクの実行期間を推定する運転支援装置を含む制御装置１であって、運転者の心拍数に基づく第１，第２心周期を記憶する記憶部１１と、操作開始された対象タスクを検出するクラッチセンサ２６と、対象タスクの操縦中の運転者に適した推奨操作期間Ｔ１を第１心周期に基づいて推定する推奨操作期間推定部１３と、対象タスクの実操作期間Ｔ２（Ｔ３）を対象タスク以前のタスク実行時における第２心周期に基づいて推定する実操作期間推定部１４と、対象タスクの操作終了以前に推奨操作期間Ｔ１と実操作期間Ｔ２（Ｔ３）の差分ΔＴに基づき報知する報知手段７を備える。【選択図】  図１
2018070086.tif 000002
【特許請求の範囲】
【請求項１】
運転者による操作手段の一連操作からなるタスクの実行期間を推定する運転支援装置において、
運転者の周期的生体情報に基づく自律神経系生体情報を記憶する生体情報記憶手段と、
操作開始された対象タスクを検出する対象タスク検出手段と、
前記対象タスクの操縦中の運転者に適した推奨操作期間を前記自律神経系生体情報に基づいて推定する推奨操作期間推定手段と、
前記対象タスクの実操作期間を前記対象タスク以前のタスク実行時における前記自律神経系生体情報に基づいて推定する実操作期間推定手段と、
前記対象タスクの操作終了以前に前記推奨操作期間と実操作期間の差分に基づき報知する報知手段と、
を備えたことを特徴とする運転支援装置。
【請求項２】
前記報知手段は前記差分が大きい程ゲインを高くすることを特徴とする請求項１に記載の運転支援装置。
【請求項３】
前記生体情報記憶手段が、平常時の心拍数、血圧、脈波の何れかである第１自律神経系生体情報と、前記対象タスク以前のタスク実行時における第２自律神経系生体情報とを記憶することを特徴とする請求項１又は２に記載の運転支援装置。
【請求項４】
前記対象タスクがクラッチペダルの踏込み及び踏戻し操作であり、
前記第１，第２自律神経系生体情報が心周期であることを特徴とする請求項３に記載の運転支援装置。
【発明の詳細な説明】
【技術分野】
【０００１】
本発明は、運転者による操作手段の一連操作からなるタスクの実行期間を推定する運転支援装置に関する。
【背景技術】
【０００２】
従来より、運転者が有段変速機の変速操作を手動によって行う手動変速機（ＭＴ）では、変速時、変速ショックを生じることが知られている。
操作手段の１つであるクラッチペダルの操作に連動したクラッチによって有段変速機とエンジンとの接続が遮断された後、シフトレバー操作によりギヤ段が変更されて再度有段変速機とエンジンとが接続される再接続時、有段変速機の回転数とエンジンの回転数が同期していない運転状況が考えられる。
このような運転状況では、車両に回転数差に伴う振動、所謂変速ショックが発生する。
そこで、手動変速機による変速時、変速ショックを抑制するため、シフトアシスト制御に関する技術が提案されている（例えば、特許文献１参照）。
【０００３】
特許文献２の車両の制御装置は、運転者によるシフトレバー操作の動きを撮像する撮像部と、この撮像部によって撮像されたシフトレバー操作の動きから変更されたギヤ段を推定するシフトポジションを推定するシフト操作位置推定部と、エンジン回転数を制御するエンジンＥＣＵとを備え、エンジンＥＣＵが、エンジン回転数をシフト操作位置推定部によって推定されたシフトポジションに応じて制御している。
これにより、運転者によるシフトレバー操作が完了する前に、変更先のシフトポジションに応じたエンジン回転数に迅速に制御される。
【０００４】
ところで、生活環境における人間の生理的な反応行動には、視床下部が中枢として関与しており、この視床下部が自律神経系と内分泌系の２つの調節系によって支えられていることが知られている。
自律神経系による調節の特徴は、迅速な応答性であることから、自律神経系は、外部刺激に相当する様々な外部環境の変化等に基づく姿勢等の身体的条件変化に対する過渡的な応答に対して必須な調節系になっている。
【０００５】
自律神経系は、機能的、形態的分類により交感神経系と副交感神経系とに区分される。
生命維持に不可欠な心臓は、自身で歩調可能な洞房結節から心房、心室に伝播する活動電位により律動的に拍動する自動能によって不随意運動を行い、亢進性の役割を果たす交感神経と、抑制性の役割を果たす迷走神経によって支配されていることも知られている。
即ち、心拍数（脈拍数）の調節現象は、洞房結節に対する交感神経と迷走神経の作用による自律神経系特有のリズムであるため、周期的生体現象である心拍数変動をパラメータとして自律神経の活動を評価することが可能である。
【０００６】
自律神経活動計測手法の１つである心電図は、心臓の電気的活動を体表面で計測し、数値によって可視化することができる。
通常、心電図における心拍変動中において、最も大きい変化を示す変動現象は心拍動のピーク値の１つであるＲ波であるため、特定のＲ波から連続した次のＲ波までの時間をＲＲＩ（R-R Interval、Ｒ−Ｒ間隔又は心周期とも言う）によって表すことができ、このＲＲＩの逆数によって心拍数を表すことができる。
平常時のＲＲＩは、一般に、０．６〜１．０ｓｅｃの範囲に含まれる値である。
また、血圧は、圧受容体を介して心拍数と密接に関連して変動する傾向があるため、心拍数変動と同様に、血圧変動によって自律神経の活動を評価することができる。
【先行技術文献】
【特許文献】
【０００７】
【特許文献１】特開２００７−０３２３４１号公報
【特許文献２】特開２０１６−１１８１６２号公報
【発明の概要】
【発明が解決しようとする課題】
【０００８】
車両の操縦は、走行環境の影響は受けるものの、運転者による操作手段の一連操作からなるタスクの連結であるため、これら個々のタスクの連続が全体として単一の大きな運転タスクを形成する行動モデルであると考えることが可能である。
例えば、操作手段がステアリングホイールの場合、切込み及び切戻しが１タスクに相当し、操作手段がクラッチペダルの場合、踏込み及び踏戻しが１タスクに相当している。
【０００９】
本発明者は、検討を重ねた結果、意のままの操縦感を認識できる状態とは、運転者が運転経験に基づいて操作習熟を終えた状態、換言すれば、再現性が高く且つ半自動的に操縦動作を実行できる半随意運動状態（歩行状態に相当する）であることを知見するに至った。
半随意運動状態は、主に、四肢等の外受容系に係る自律神経系による調節現象であるため、平常時の自律神経系リズムに合致した運動状態は、感覚的に半随意運動状態であり、また、運転者にとって好感を認識できる状態と言える。
つまり、図１０に示すように、操作手段の一連操作からなるタスクを運転者が実際に経験し、この経験により運転者がこのタスクを習熟した場合、タスクが半随意運動化するため、外受容系によるタスクの周期と自律神経系のリズムは同期（協調）傾向を示すものと推測される。
【００１０】
図１１に示すように、人間は、外受容系による運動を行う場合、特に集中度合いが高い程（無意識性が高い程）、随意的統制が容易ではない心拍動のピーク値（Ｒ波）を回避した心周期（以下、Ｒ波回避周期とする）で運動が実行されることから、運転者による一連のタスクも、生体現象の観点から、Ｒ波回避周期に従って実行されることが好ましい。
しかし、実際の車両操縦中において、運転者が特定タスクを自身のＲ波回避周期に合致させることは容易ではない。
しかも、運転者の心周期は外部刺激に相当する外部環境の変化に同調しながら変化する傾向があるため、特定タスクを実際の車両操縦中におけるＲ波回避周期に同調させても、平常時の自律神経系リズムと危険回避時の自律神経系リズムとは異なることから、必ずしも運転者にとって好感を認識できない虞がある。
【００１１】
特許文献２の車両の制御装置は、クラッチが締結される前に推定されたギヤ段に応じたエンジン回転数に制御することにより、変速ショックを防止している。
しかし、特許文献２の車両の制御装置では、運転者によるクラッチペダル操作に係る対象タスクに相当するクラッチペダルの踏込み及び踏戻し動作の実行時間を推定するものではない。この特許文献２の技術は、シフトレバー操作に応じた手の撮像情報に基づきシフトレバー操作中の手の動きの方向を示す操作ベクトルを算出し、算出された操作ベクトルによって変更先のギヤ段を推定した後、推定されたギヤ段と実際の車速を用いて目標エンジン回転数を設定しているため、クラッチの締結タイミングが考慮されることなく、目標エンジン回転数の設定と同時にエンジン回転数が制御される。
それ故、運転者は、変速操作を介して自身にとって好感を認識する周期（心周期）を把握することができず、更に、クラッチの締結タイミングを修正操作することも困難である。
【００１２】
本発明の目的は、視聴覚情報を介してタスク操作期間を運転者が好感を認識する周期に同調可能な運転支援装置等を提供することである。
【課題を解決するための手段】
【００１３】
請求項１の運転支援装置は、運転者による操作手段の一連操作からなるタスクの実行期間を推定する運転支援装置において、運転者の周期的生体情報に基づく自律神経系生体情報を記憶する生体情報記憶手段と、操作開始された対象タスクを検出する対象タスク検出手段と、前記対象タスクの操縦中の運転者に適した推奨操作期間を前記自律神経系生体情報に基づいて推定する推奨操作期間推定手段と、前記対象タスクの実操作期間を前記対象タスク以前のタスク実行時における前記自律神経系生体情報に基づいて推定する実操作期間推定手段と、前記対象タスクの操作終了以前に前記推奨操作期間と実操作期間の差分に基づき報知する報知手段と、を備えたことを特徴としている。
【００１４】
この運転支援装置では、運転者の周期的生体現象に基づく自律神経系生体情報を記憶する生体情報記憶手段を有するため、運転状況毎に運転者自身の半随意運動状態の周期（自律神経系リズム）を保有することができる。
操作開始された対象タスクを検出する対象タスク検出手段と、前記対象タスクの操縦中の運転者に適した推奨操作期間を前記自律神経系生体情報に基づいて推定する推奨操作期間推定手段と、前記前記対象タスクの実操作期間を前記対象タスク以前のタスク実行時における前記自律神経系生体情報に基づいて推定する実操作期間推定手段とを有するため、生体現象として運転者が好感を認識できるタスク操作期間である推奨操作期間と現状において運転者が実行する可能性が高いタスク操作期間である実操作期間とを推定することができる。対象タスクの操作終了以前に前記推奨操作期間と実操作期間の差分に基づき報知する報知手段を有するため、推奨操作期間と実操作期間のずれを運転者に認識させることができ、運転者がずれに基づく修正操作をすることができる。
【００１５】
請求項２の発明は、請求項１の発明において、前記報知手段は前記差分が大きい程ゲインを高くすることを特徴としている。
この構成によれば、差分を報知手段の作動量によって認識させることができる。
【００１６】
請求項３の発明は、請求項１又は２の発明において、前記生体情報記憶手段が、平常時の心拍数、血圧、脈波の何れかである第１自律神経系生体情報と、前記対象タスク以前のタスク実行時における第２自律神経系生体情報とを記憶することを特徴としている。
この構成によれば、簡単な構成で推奨操作期間と実操作期間とを高精度に推定することができる。
【００１７】
請求項４の発明は、請求項３の発明において、前記対象タスクがクラッチペダルの踏込み及び踏戻し操作であり、前記第１，第２自律神経系生体情報が心周期であることを特徴としている。
この構成によれば、クラッチペダルに係る対象タスクにおける推奨操作期間と実操作期間のずれを運転者に認識させることができる。
【発明の効果】
【００１８】
本発明の運転支援装置によれば、視聴覚情報を介してタスク操作期間を運転者が好感を認識する周期に同調させることができる。
【図面の簡単な説明】
【００１９】
【図１】実施例１に係る車両用操作期間推定装置のブロック図である。
【図２】シフトアップ時におけるタイムチャートの例である。
【図３】通常モードにおけるタイムチャートの例である。
【図４】通常モードにおけるタイムチャートの別の例である。
【図５】制振モードにおけるタイムチャートの例である。
【図６】差分とゲインの相関関係を示すグラフである。
【図７】操作期間推定処理手順を示すフローチャートである。
【図８】制振モード制御処理手順を示すフローチャートである。
【図９】通常モード制御処理手順を示すフローチャートである。
【図１０】本発明の着想を示す概念図である。
【図１１】心拍動と運動との関係を示すタイムチャートである。
【発明を実施するための形態】
【００２０】
以下、本発明の実施形態を図面に基づいて詳細に説明する。
以下の説明は、本発明を手動変速機を備えた車両の制御装置１に適用したものを例示したものであり、本発明、その適用物、或いは、その用途を制限するものではない。
【実施例１】
【００２１】
以下、本発明の実施例１について図１〜図９に基づいて説明する。
本実施例の車両は、有段変速機の変速操作を手動によって行う手動変速機（図示略）が搭載されており、運転者によるシフトレバー（図示略）の手動操作を介して有段変速機のギヤ段の切替え（シフト変更）が行われている。
図１に示すように、この車両は、ステアバイワイヤ機構Ｓと、アクセルバイワイヤ機構Ａと、ブレーキバイワイヤ機構Ｂと、運転者による操作手段の一連操作からなるタスクの操作期間（実行期間）を推定可能な制御装置１を備えている。
【００２２】
ステアバイワイヤ機構Ｓは、ステアリングホイール（以下、ステアリングと略す）３と操舵装置（図示略）が機械的に分離形成され、運転者によるステアリング３の操作量に基づきステアリング３に操作反力を付与する反力モータ３ａ等を備えている。
アクセルバイワイヤ機構Ａは、アクセルペダル（以下、アクセルと略す）４とエンジン２のスロットルバルブ（図示略）が機械的に分離形成され、運転者によるアクセル４の操作量に基づきアクセル４に操作反力を付与する反力モータ４ａ等を備えている。
ブレーキバイワイヤ機構Ｂは、ブレーキペダル（以下、ブレーキと略す）５と液圧ブレーキ機構（図示略）が機械的に分離形成され、運転者によるブレーキ５の操作量に基づきブレーキ５に操作反力を付与する反力モータ５ａ等を備えている。
尚、反力モータ３ａ，４ａ，５ａに係る具体的な構成は、本出願人が既に出願しているため、詳細な説明を省略する（特願２０１６−０９９４５６号参照）。
また、同様に、クラッチペダル（以下、クラッチと略す）６についても、クラッチ６に操作反力を付与する反力モータ６ａが設けられている。
【００２３】
制御装置１は、運転者の平常時の第１心周期を基準とする通常モードと変速直前の第２心周期を基準とする制振モードの何れかに切替可能に構成されると共に、エンジン回転数を推定されたタスク操作期間に基づいて変速開始時のエンジン回転数から変速終了後の目標エンジン回転数に制御するように構成されている。
この制御装置１は、操作手段の一連操作からなるタスクの操作期間推定機能及び運転者に対する操作タイミング報知機能を有しているため、操作期間推定装置並びに運転支援装置に相当している。
【００２４】
図１に示すように、制御装置１は、ＥＣＵ（Electronic Control Unit）１０を備えている。このＥＣＵ１０は、ＣＰＵ（Central Processing Unit）と、ＲＯＭと、ＲＡＭと、イン側インタフェースと、アウト側インタフェース等によって構成されている。
ＲＯＭには、操作期間推定処理、通常モード制御処理及び制振モード制御処理するための種々のプログラムやデータが格納され、ＲＡＭには、ＣＰＵが一連の処理を行う際に使用される処理領域が設けられている。
【００２５】
ＥＣＵ１０は、エンジン２と、反力モータ３ａ〜６ａと、点灯装置やスピーカ装置からなる報知手段７と、回転数センサ２１と、車速センサ２２と、舵角センサ２３と、アクセルセンサ２４と、ブレーキセンサ２５と、クラッチセンサ２６と、ナビゲーションシステム２７と、外部ＣＣＤ（Charge Coupled Device）カメラ２８と、内部ＣＣＤカメラ２９と、心拍数センサ３０と、制振モードスイッチ３１等に電気的に接続されている。
そして、ＥＣＵ２は、各センサ類２１〜３１からの入力信号を受けて、エンジン２の回転数制御を行うと共に、反力モータ３ａ，４ａ，５ａ，６ａ及び報知手段７等に対して夫々必要な指令信号を出力している。
【００２６】
反力モータ６ａは、運転者によるクラッチ６の操作量を検出する操作量センサと、クラッチ６の操作量に対応した操作力を検出する操作力センサ（何れも図示略）からの検出信号に基づいて求められた操作反力をクラッチ６に付与するように構成されている。
この反力モータ６ａは、ＥＣＵ１０から出力された指令信号のゲインが大きい程クラッチ６に付与する操作反力が高くなるように形成されている。尚、クラッチ６に付与する操作反力は、運転者によるクラッチ６の操作に支障が生じない範囲で制御されている。
報知手段７の点灯装置は、例えば、インスツルメントパネルの中央部位に設置され、ＥＣＵ１０から出力された指令信号のゲインが大きい程表示ランプの輝度が高くなる或いは点灯領域が拡大するように制御されている。
スピーカ装置は、例えば、インスツルメントパネルの左右両端部位に設置され、ＥＣＵ１０から出力された指令信号のゲインが大きい程出力される報知音量が大きくなるように制御されている。
【００２７】
次に、各センサ類２１〜３１について説明する。
回転数センサ２１は、エンジン２のクランク軸回転数に応じた信号を出力し、車速センサ２２は、車両の移動速度に応じた信号を出力する。舵角センサ２３は、運転者によるステアリング３の操舵角に関連する信号を出力し、アクセルセンサ２４は、運転者によるアクセル４の踏込量を検出して検出信号を出力する。
ブレーキセンサ２５は、運転者によるブレーキ５の踏込操作を検出してオン操作検出信号を出力し、ブレーキ５の踏戻操作を検出してオフ操作検出信号を出力する。クラッチセンサ２６は、運転者によるクラッチ６の踏込操作を検出してオン操作検出信号を出力し、クラッチ６の踏戻操作を検出してオフ操作検出信号を出力する。
【００２８】
ナビゲーションシステム２７は、車両の経路案内を行うシステムである。
ナビゲーションシステム２７には、車両の現在位置を検出するためのＧＰＳ受信部（図示略）が電気的に接続されている。ＧＰＳ受信部は、複数のＧＰＳ衛星からの信号を受信することで車両の現在位置を検出する。また、ナビゲーションシステム２７は、高速道路の出入口や合流位置等の道路地図データを記憶した地図データベースと、交通規則データを記憶した交通規則データベース（何れも図示略）等を備えている。
これにより、ナビゲーションシステム２７は、車両の現在位置データ及び道路地図データ等をＥＣＵ１０に出力する。
【００２９】
外部ＣＣＤカメラ２８は、例えば、ルームミラー（図示略）に内蔵して配設されている。
この外部ＣＣＤカメラ２８は、車体前方を監視領域として設定され、所定の視野角内の画像を撮像可能に構成されている。外部ＣＣＤカメラ２８によって撮像された画像により、自車両の走行レーン内に進入する（割り込む）先行車両の割り込み度合いを判定している。
内部ＣＣＤカメラ２９は、例えば、運転席上方の天井に配設されている。
この内部ＣＣＤカメラ２９は、シフトレバーの操作範囲を含むシフト領域を監視領域として設定され、運転者の手の位置や動きの画像を撮像可能に構成されている。内部ＣＣＤカメラ２９によって撮像された画像により、変速時、シフトレバーの変更先の操作位置、所謂変速終了後のギヤ段を判定している。
【００３０】
心拍数センサ３０は、例えば、シートの座面又は背面等に配設された複数の電極によって構成されている。
この心拍数センサ３０は、車両操縦中の運転者の心筋が伸縮するときの刺激伝導に伴う脱分極によって各電極間に生じる電位差に基づき心拍動（図１１参照）を検出可能に構成されている。心拍数センサ３０によって検出された心拍動履歴、所謂心拍数変動により、運転状況毎の心周期（ＲＲＩ）を判定している。
心周期とは、所定期間内における心拍動のＲ波とこのＲ波に隣接したＲ波との時間間隔における平均値である。
尚、心拍数センサ３０は、運転者が把持しているステアリング３に配設しても良く、運転者が携帯する計測機能付携帯端末装置を心拍数センサ３０とし、ＥＣＵ１０に対して送信可能に構成しても良い。
【００３１】
制振モードスイッチ３１は、例えば、ステアリング３に装備されている。
この制振モードスイッチ３１は、運転者によって切替操作されたときのみＨレベルの信号が出力され、それ以外のときはＬレベルの信号が出力されるモーメンタリ式切替スイッチによって構成されている。オフ状態に操作された通常モードのとき、運転者が制振モードスイッチ３１をオン状態に切替操作した場合、制振モード制御の実行を許可する制振モードが設定され、オン状態に操作された制振モードのとき、運転者が制振モードスイッチ３１をオフ状態に切替操作した場合、制振モード制御の実行を停止して通常モードが設定される。
【００３２】
次に、ＥＣＵ１０について説明する。
ＥＣＵ１０は、操作手段の一連操作からなるタスクの実行時間を推奨操作期間Ｔ１と実操作期間Ｔ２（Ｔ３）との２種類の操作期間を用いて推定している。
推奨操作期間Ｔ１は、平常時（日常）の最も平均的な心周期を基準にした操作期間であり、歩行等のように再現性が高く且つ半自動的にタスクを実行可能な操作期間である。それ故、運転者にとって推奨操作期間Ｔ１に合ったタスクの実行は、主観的に好感を認識することができる動作である。
実操作期間Ｔ２（Ｔ３）は、推定する対象タスクの直前状態の心周期を基準にした操作期間であり、実際の運転状況を反映した運転者の自律神経系リズムに合致する操作期間である。それ故、運転者は、周期的生体現象として、無意識的に実操作期間Ｔ２（Ｔ３）に合ったタスクを実行する可能性が高い。
【００３３】
図１に示すように、ＥＣＵ１０は、記憶部１１と、ギヤ段推定部１２と、推奨操作期間推定部１３と、実操作期間推定部１４と、走行状態判定部１５と、エンジン回転数制御部１６と、差分演算部１７と、ゲイン設定部１８等を備えている。
以下、本実施例では、クラッチ６を操作手段とし、変速時における運転者の踏込み及び踏戻し操作を対象タスクとした例について説明を行う。
【００３４】
まず、記憶部１１について説明する。
記憶部１１は、平常時における半随意運動中の第１心周期（第１自律神経系生体情報）を記憶している。この第１心周期は、車両操縦開始以前に、予め日常生活の歩行等の心拍数変動の平均値に基づいて取得している。
また、この記憶部１１は、心拍数センサ３０の検出信号に基づいて車両操縦中の心拍数変動を記憶している。この車両操縦中の心拍数変動に基づき、対象タスクの直前の操作手段のタスク、例えば、クラッチ６の操作前に操作するブレーキ５の踏込み及び踏戻し或いはアクセル４の踏戻し等、の実行中における移動平均による心周期を第２心周期（第２自律神経系生体情報）として記憶している。
【００３５】
次に、ギヤ段推定部１２について説明する。
ギヤ段推定部１２は、予め保持する運転者によるシフトレバー操作が成されていない基準画像と内部ＣＣＤカメラ２９から入力された入力画像とを比較してシフトレバー操作の動きに関する差分を時系列に取得し、取得した差分情報によってシフトレバーの操作ベクトルを算出して変速先のギヤ段を運転者によるシフトレバー操作完了前に推定している。
尚、シフトレバーのガイド溝に位置センサを配設し、この位置センサによって変速先のギヤ段を検出しても良い。
【００３６】
次に、推奨操作期間推定部１３について説明する。
推奨操作期間推定部１３は、記憶部１１に記憶された第１心周期に基づき、対象タスクの推奨操作期間Ｔ１を推定している。
図２に示すように、例えば、ギヤ段を２速から３速にシフトアップする場合、運転者はｔ０からアクセル４の踏戻し（操作手段のタスク）を開始し、アクセル４の踏戻し終了時点であるｔ１からのブレーキ５の踏込みによって車両を減速した後、ブレーキ５の踏戻し終了時点であるｔ２にクラッチ６の踏込みを行う。そして、クラッチ６踏込み後のｔ３において、シフトレバー操作によりギヤ段を２速から３速に変更し、シフトレバー操作後のｔ４にクラッチ６の踏戻し操作を行ってシフトアップを完了する。
尚、説明の便宜上、運転者によるクラッチ６の操作を単純モデル化している。
この推奨操作期間推定部１３では、クラッチ６の踏込みタイミングｔ２から踏戻しタイミングｔ４までの操作期間を記憶部１１に記憶された平常時の第１心周期と同一期間である推奨操作期間Ｔ１として推定している。
【００３７】
次に、実操作期間推定部１４について説明する。
実操作期間推定部１４は、記憶部１１に記憶された第２心周期に基づき、対象タスクの実操作期間Ｔ２を推定している。
ギヤ段を２速から３速にシフトアップする際、運転者の自律神経系が平常時よりも活性化していない場合、クラッチ６の操作以前のアクセル４の操作やブレーキ５の操作実行中の第２心周期は、自律神経系の影響を受けて第１心周期よりも大きい値になる。
図３に示すように、ｔ０からｔ１までのアクセル４の踏戻し実行中の第２心周期が第１心周期よりも大きい場合、実操作期間推定部１４では、クラッチ６の踏込みタイミングｔ２から踏戻しタイミングｔ５（ｔ４＜ｔ５）までの操作期間を記憶部１１に記憶されたｔ０からｔ１までのアクセル４の踏戻し実行中の第２心周期と同一期間である実操作期間Ｔ２（Ｔ１＜Ｔ２）として推定している。
【００３８】
また、ギヤ段を２速から３速にシフトアップする際、運転者の自律神経系が平常時よりも活性化している場合、クラッチ６の操作以前のアクセル４の操作やブレーキ５の操作実行中の第２心周期は、自律神経系の影響を受けて第１心周期よりも小さい値になる。
図４に示すように、ｔ０からｔ１までのアクセル４の踏戻し実行中の第２心周期が第１心周期よりも小さい場合、実操作期間推定部１４では、クラッチ６の踏込みタイミングｔ２から踏戻しタイミングｔ６（ｔ６＜ｔ４）までの操作期間を記憶部１１に記憶されたｔ０からｔ１までのアクセル４の踏戻し実行中の第２心周期と同一期間である実操作期間Ｔ３（Ｔ３＜Ｔ１）と推定している。
尚、ギヤ段推定部１２がシフトアップを検出した場合、推奨操作期間推定部１３と実操作期間推定部１４は、記憶部１１に記憶された第１心周期及び第２心周期に基づき推定された対象タスクの推奨操作期間及び実操作期間よりも更に短縮する、例えば、推定された操作期間を８０〜９０％にする、補正しても良い。エンジン回転数の減少不足に起因したショックの発生を確実に防止するためである。
【００３９】
次に、走行状態判定部１５について説明する。
走行状態判定部１５は、危険回避時を判定したとき、通常モード制御を禁止して制振モード制御を実行することにより、第２心周期に基づく対象タスクの操作期間の推定のみを有効化し、高速合流時又は発進時を判定したとき、通常モード制御及び制振モード制御を禁止することにより、対象タスクの操作期間の推定自体を無効化している。
この走行状態判定部１５は、対象タスクの操作期間を第２心周期に基づき高精度に判定できる走行状態と、第２心周期に基づき高精度に判定できない走行状態とを判定している。
自車両の走行レーン内に先行車両が割り込んだ場合、運転者は反射的に危険回避動作を行う必要があるため、対象タスクの操作期間は自律神経系の影響を多分に受ける。
それ故、危険回避時は、第２心周期に基づき対象タスクの操作期間を高精度に判定できる走行状態である。そこで、先行車両の割り込み度合いが所定の閾値よりも高いという条件が成立したとき、危険回避時を判定している。
【００４０】
高速道路において、加速レーンから本線に合流する場合、運転者は本線を走行する他車両の状況に合わせた操縦をする必要があるため、対象タスクの操作期間は自律神経系よりも運転者の意識の影響を多分に受ける。それ故、高速合流時は、第２心周期に基づき対象タスクの操作期間を高精度に判定できない走行状態である。そこで、ナビゲーションシステム２７から入力した道路地図データに基づき高速合流時を判定している。
また、車両を発進させる場合、運転者は周囲の状況に合わせた操縦をする必要があるため、高速合流時と同様に、運転者の意識の影響を多分に受ける。それ故、発進時は、第２心周期に基づき対象タスクの操作期間を高精度に判定できない走行状態である。そこで、車速が零、アクセルセンサ２４が踏込操作、ブレーキセンサ２５がオフ操作の全ての条件が成立したとき、発進時を判定している。
【００４１】
次に、エンジン回転数制御部１６について説明する。
エンジン回転数制御部１６は、推定された変速先のギヤ段と車速とに基づき変速終了後の目標エンジン回転数Ｒ２を演算し、エンジンの回転数が変速開始時のエンジン回転数Ｒ１から目標エンジン回転数Ｒ２に対して漸近するように構成されている。
このエンジン回転数制御部１６は、通常モード制御と制振モード制御の２種類のモード制御を実行可能に形成されている。制振モード制御の実行中、フラグＦに１が代入され、通常モード制御の実行中、フラグＦに２が代入され、何れの制御も実行されていないとき、フラグＦに０が代入されている。
【００４２】
まず、通常モード制御について説明する。
通常モードが設定されたとき、エンジン回転数制御部１６は、変速終了時として推定された推奨操作期間Ｔ１の終期、所謂変速開始から推奨操作期間Ｔ１経過した時点においてエンジン回転数を目標エンジン回転数Ｒ２に制御している。
エンジン回転数制御部１６は、変速開始時のエンジン回転数Ｒ１と推奨操作期間Ｔ１経過時のエンジン回転数Ｒ２に基づきゲインとしての制御係数ｋ１を設定し、この制御係数ｋ１に基づきエンジン２を制御している。
【００４３】
図３に示すように、運転者による実際の対象タスク操作期間が推奨操作期間Ｔ１よりも長い場合、Ｐ１地点から制御係数ｋ１に基づきエンジン回転数が線形状に減少され、Ｐ２地点でエンジン回転数が目標エンジン回転数Ｒ２に到達するように制御される。
Ｐ２地点では、運転者によるクラッチ６の踏戻しが終了していないため、制御係数ｋ１に基づくエンジン回転数の減少制御が継続される。
運転者による対象タスク（クラッチ６の踏戻し）が終了するＰ３（ｔ５）地点において、エンジン回転数の減少制御が終了され、エンジン回転数Ｒ３は目標エンジン回転数Ｒ２に強制的に移行される。これにより、エンジン回転数Ｒ３から目標エンジン回転数Ｒ２への移行に伴う変速ショックによって、運転者は自己の対象タスク実行時間と推奨操作期間Ｔ１とのずれ量を認識することができ、対象タスクに対して学習が行われる。
【００４４】
図４に示すように、運転者による実際の対象タスク操作期間が推奨操作期間Ｔ１よりも短い場合、Ｐ１地点から制御係数ｋ１に基づきエンジン回転数が線形状に減少され、Ｐ２（ｔ４）地点でエンジン回転数が目標エンジン回転数Ｒ２に到達するように制御される。
Ｐ２よりも早いＰ４（ｔ６）地点で、運転者によるクラッチ６の踏戻しが終了するため、エンジン回転数の減少制御が終了され、エンジン回転数Ｒ４は目標エンジン回転数Ｒ２に強制的に移行される。これにより、エンジン回転数Ｒ４から目標エンジン回転数Ｒ２への移行に伴う変速ショックによって、運転者は自己の対象タスク実行時間と推奨操作期間Ｔ１とのずれ量を認識することができ、対象タスクに対して学習が行われる。
尚、図２に示すように、通常モードが設定されていても、運転者による実際の対象タスク操作期間が推奨操作期間Ｔ１と同じ長さの場合、運転者によるクラッチ６の踏戻しタイミングと目標エンジン回転数到達タイミングとが同時期になるため、変速ショックは発生しない。
【００４５】
次に、制振モード制御について説明する。
制振モードが設定されたとき、エンジン回転数制御部１６は、実操作期間Ｔ２の間、所謂変速開始から実操作期間Ｔ２経過する間においてエンジン回転数を目標エンジン回転数Ｒ２に制御している。
エンジン回転数制御部１６は、変速開始時のエンジン回転数Ｒ１と実操作期間Ｔ２経過時におけるエンジン回転数Ｒ２に基づきゲインとしての制御係数ｋ２を設定し、この制御係数ｋ２に基づきエンジン２を制御している。
【００４６】
図５に示すように、運転者による実際の対象タスク操作期間が推奨操作期間Ｔ１よりも長い場合、Ｐ１地点から制御係数ｋ２に基づきエンジン回転数が線形状に減少され、Ｐ５（ｔ５）地点でエンジン回転数が目標エンジン回転数Ｒ２に到達するように制御される。
Ｐ５地点で、運転者によるクラッチ６の踏戻しが終了するため、エンジン回転数の減少制御が終了され、エンジン回転数は目標エンジン回転数Ｒ２に維持される。
これにより、対象タスク操作期間が推奨操作期間Ｔ１と異なる場合、或いは危険回避等によって平常時の対象タスク操作期間と異なる場合であっても、変速ショックを発生させることなく対象タスクを含む運転者による変速操作を完了することができる。
【００４７】
また、図５に示すように、エンジン回転数制御部１６は、変速開始時のエンジン回転数Ｒ１と実操作期間Ｔ２経過前のｔ７におけるエンジン回転数Ｒ２に基づき制御係数ｋ３を設定しても良く、変速開始時のエンジン回転数Ｒ１と実操作期間Ｔ２経過前のｔ２におけるエンジン回転数Ｒ２に基づき制御係数ｋ４を設定することも可能である。
何れの場合も、エンジン回転数Ｒ２に到達後、クラッチ６の踏戻しが終了するまでエンジン回転数Ｒ２に維持されている。
この制御係数ｋ２〜ｋ４は、シフトダウン時、勾配が小さい程違和感が小さく、勾配が大きい程燃費改善に有利である。
【００４８】
次に、差分演算部１７とゲイン設定部１８について説明する。
差分演算部１７は、推奨操作期間Ｔ１と実操作期間Ｔ２（Ｔ３）との差分ΔＴを次式（１）によって演算している。
ΔＴ＝｜Ｔ１−Ｔ２｜                                              …（１）
これにより、平常時に運転者が主観的に好感を認識できる推奨操作期間Ｔ１と実際に運転者による実行が予想される実操作期間Ｔ２（Ｔ３）との差を求めている。
【００４９】
ゲイン設定部１８は、差分演算部１７で求められた差分ΔＴに対応したゲインをＥＣＵ１０に格納されたマップに基づき設定し、反力モータ６ａと報知手段７に出力している。
図６に示すように、ゲインは差分ΔＴに対して対数関数状に設定されている。
本実施例では、運転者が対象タスクに対して学習意欲を有する通常モードが設定された場合、反力モータ６ａと報知手段７がゲインに応じて作動するように構成されている。
【００５０】
次に、図７〜図９のフローチャートに基づいて、操作期間推定処理手順について説明する。尚、Ｓｉ（ｉ＝１，２…）は、各処理のためのステップを示す。
図７のフローチャートに示すように、操作期間推定処理では、まず、Ｓ１にて、各センサの検出値、記憶部１１に記憶されている第１，第２心周期及び記憶部制振モードスイッチ３１の信号を含む各種情報を読み込み、Ｓ２へ移行する。
【００５１】
Ｓ２では、現在の状態が高速合流時又は発進時か否か判定する。
Ｓ２の判定の結果、現在の状態が高速合流時又は発進時の場合、対象タスクの操作期間を高精度に判定できない走行状態であるため、各モード制御を終了し（Ｓ１７）、フラグＦに０を代入した後（Ｓ１８）、リターンする。
Ｓ２の判定の結果、現在の状態が高速合流時又は発進時ではない場合、Ｓ３に移行し、クラッチセンサ２６がオン操作された状態か否か判定する。
【００５２】
Ｓ３の判定の結果、クラッチセンサ２６がオン操作された状態の場合、変速開始又は変速実行中であるため、Ｓ４に移行し、フラグＦに０が代入されているか否か判定する。
Ｓ４の判定の結果、フラグＦに０が代入されている場合、何れのモード制御も実行されていないため、Ｓ５に移行し、第１心周期に基づき推奨操作期間Ｔ１を推定する。
次に、第２心周期に基づき実操作期間Ｔ２を推定した後（Ｓ６）、Ｓ７に移行し、現在の車速と変更先のギヤ段に基づき変速終了後の目標エンジン回転数Ｒ２を設定する。
【００５３】
次に、Ｓ８に移行し、現在の状態が危険回避時か否か判定する。
Ｓ８の判定の結果、現在の状態が危険回避時ではない場合、Ｓ９に移行し、制振モードスイッチ３１がオン操作されたか否か判定する。
Ｓ９の判定の結果、制振モードスイッチ３１がオン操作された場合、Ｓ１０に移行し、制振モードを実行してリターンする。
Ｓ９の判定の結果、制振モードスイッチ３１がオン操作されていない場合、Ｓ１１に移行し、通常モードを実行してリターンする。
Ｓ８の判定の結果、現在の状態が危険回避時である場合、第２心周期に基づき対象タスクの操作期間を高精度に判定できる走行状態であるため、Ｓ１０に移行する。
【００５４】
Ｓ４の判定の結果、フラグＦに０が代入されていない場合、Ｓ１２に移行し、フラグＦに１が代入されているか否か判定する。
Ｓ４の判定の結果、フラグＦに１が代入されている場合、既に制振モード制御が実行中であるため、Ｓ２３に移行する。
Ｓ４の判定の結果、フラグＦに１が代入されていない場合、既に通常モード制御が実行中であるため、Ｓ２３に移行する。
【００５５】
Ｓ３の判定の結果、クラッチセンサ２６がオフ操作された状態の場合、変速終了であるため、Ｓ１３に移行し、フラグＦに２が代入されているか否か判定する。
Ｓ１３の判定の結果、フラグＦに２が代入されている場合、既に通常モード制御が実行中であるため、Ｓ１４に移行する。
Ｓ１３の判定の結果、フラグＦに２が代入されていない場合、変速中ではなく、また、通常モード制御も実行されてないため、リターンする。
Ｓ１４では、通常モード制御を終了し、フラグＦに０を代入した後（Ｓ１５）、Ｓ１６に移行する。
Ｓ１６では、報知手段７の作動を停止して、リターンする。
【００５６】
次に、Ｓ１０の制振モード制御について説明する。
図８のフローチャートに示すように、制振モード制御処理では、まず、Ｓ２１にて、フラグＦに１を代入して、Ｓ２２に移行する。
Ｓ２２では、制御係数ｋ２を演算し、制御係数ｋ２に基づくエンジン回転数制御を実行した後（Ｓ２３）、Ｓ２４に移行する。
Ｓ２４では、エンジン回転数が目標エンジン回転数Ｒ２に到達したか否か判定する。
Ｓ２４の判定の結果、エンジン回転数が目標エンジン回転数Ｒ２に到達した場合、制振モード制御を終了し（Ｓ２５）、フラグＦに０を代入した後（Ｓ２６）、終了する。
Ｓ２４の判定の結果、エンジン回転数が目標エンジン回転数Ｒ２に到達していない場合、終了する。
【００５７】
次に、Ｓ１１の通常モード制御について説明する。
図９のフローチャートに示すように、通常モード制御処理では、まず、Ｓ３１にて、フラグＦに２を代入して、Ｓ３２に移行する。
Ｓ３２では、制御係数ｋ１を演算し、制御係数ｋ１に基づくエンジン回転数制御を実行した後（Ｓ３３）、Ｓ３４に移行する。
Ｓ３４では、推奨操作期間Ｔ１と実操作期間Ｔ２が一致するか否か判定する。
Ｓ３４の判定の結果、推奨操作期間Ｔ１と実操作期間Ｔ２が一致する場合、終了する。
Ｓ３４の判定の結果、推奨操作期間Ｔ１と実操作期間Ｔ２が一致しない場合、Ｓ３５に移行する。Ｓ３５では、差分ΔＴに対応したゲインに基づき報知手段７を作動させた後、終了する。また、同時に、反力モータ６ａについてもゲインに基づき作動を開始する。
【００５８】
次に、本実施例の制御装置１における作用、効果について説明する。
この制御装置１では、運転者の周期的生体現象である心拍数に基づく第１，第２心周期を記憶する記憶部１１を有するため、運転状況毎に運転者自身の半随意運動状態の周期（自律神経系リズム）を保有することができる。
操作開始された対象タスクを検出するクラッチセンサ２６と、対象タスクの操縦中の運転者に適した推奨操作期間Ｔ１を第１心周期に基づいて推定する推奨操作期間推定部１３と、対象タスクの実操作期間Ｔ２（Ｔ３）を対象タスク以前のタスク実行時における第１心周期に基づいて推定する実操作期間推定部１４とを有するため、生体現象として運転者が好感を認識できるタスク操作期間である推奨操作期間Ｔ１と現状において運転者が実行する可能性が高いタスク操作期間である実操作期間Ｔ２（Ｔ３）とを推定することができる。対象タスクの操作終了以前に推奨操作期間Ｔ１と実操作期間Ｔ２（Ｔ３）の差分ΔＴに基づき報知する報知手段７を有するため、推奨操作期間Ｔ１と実操作期間Ｔ２（Ｔ３）のずれを運転者に認識させることができ、運転者がずれに基づく修正操作をすることができる。
【００５９】
報知手段７は前記差分が大きい程ゲインを高くするため、差分ΔＴを報知手段の作動量によって認識させることができる。
生体情報記憶手段が、平常時の心拍数、血圧、脈波の何れかである第１自律神経系生体情報と、対象タスク以前のタスク実行時における第２自律神経系生体情報とを記憶するため、簡単な構成で推奨操作期間Ｔ１と実操作期間Ｔ２（Ｔ３）とを高精度に推定することができる。
【００６０】
対象タスクがクラッチ６の踏込み及び踏戻し操作であり、第１，第２自律神経系生体情報が心周期であるため、クラッチ６に係る対象タスクにおける推奨操作期間Ｔ１と実操作期間Ｔ２（Ｔ３）のずれを運転者に認識させることができる。
【００６１】
次に、前記実施形態を部分的に変更した変形例について説明する。
１〕前記実施形態においては、操作手段がクラッチ、対象タスクがクラッチの踏込み及び踏戻しの例を説明したが、少なくとも運転者の周期的生体現象に基づくタスクであれば適用可能であり、走行状態を限定した上でアクセル又はブレーキの踏込み及び踏戻しを対象タスクとしても良く、踏込み又は踏戻しの一方のみを対象タスクとしても良い。
また、変速時においては、シフトアップに限られずシフトダウンにも適用可能である。
【００６２】
２〕前記実施形態においては、運転者の周期的生体現象に基づく生体情報として心周期の例を説明したが、少なくとも運転者の自律神経系生体情報を反映できれば良く、血圧変動周期や指尖脈波による脈波変動周期を用いても良い。
【００６３】
３〕前記実施形態においては、通常モードが設定された場合、クラッチの反力モータと報知手段を作動させる例を説明したが、通常モードと制振モードの両モードにおいて実行することも可能である。
【００６４】
４〕前記実施形態においては、アクセルの踏戻し操作中における平均心周期に基づき実操作期間を求める例を説明したが、少なくともクラッチに係る対象タスク以前のタスクであれば良く、アクセルの踏込み操作中の平均心周期でも良く、アクセル操作後のブレーキ踏込み及び踏戻し操作中の平均心周期であっても良い。
【００６５】
５〕前記実施形態においては、推奨操作期間と実操作期間の差の絶対値によって差分を求め、クラッチの操作反力を差分に基づくゲインを用いて制御する例を説明したが、ゲインを推奨操作期間と実操作期間の差に基づいて求めても良い。具体的には、推奨操作期間と実操作期間の差がプラス（操作が速い）場合、差に応じて操作反力を大きくし、推奨操作期間と実操作期間の差がマイナス（操作が遅い）場合、差に応じて操作反力を小さくする。
【００６６】
６〕その他、当業者であれば、本発明の趣旨を逸脱することなく、前記実施形態に種々の変更を付加した形態で実施可能であり、本発明はそのような変更形態も包含するものである。
【符号の説明】
【００６７】
１          制御装置
４          アクセル
５          ブレーキ
６          クラッチ
７          報知手段
１０        ＥＣＵ
１１        記憶部
１３        推奨操作期間推定部
１４        実操作期間推定部
２６        クラッチセンサ
【図１】
2018070086.tif 000003
【図２】
2018070086.tif 000004
【図３】
2018070086.tif 000005
【図４】
2018070086.tif 000006
【図５】
2018070086.tif 000007
【図６】
2018070086.tif 000008
【図７】
2018070086.tif 000009
【図８】
2018070086.tif 000010
【図９】
2018070086.tif 000011
【図１０】
2018070086.tif 000012
【図１１】
2018070086.tif 000013
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
運転者による操作手段の一連操作からなるタスクの実行期間を推定する運転支援装置において、
運転者の周期的生体情報に基づく自律神経系生体情報を記憶する生体情報記憶手段と、
操作開始された対象タスクを検出する対象タスク検出手段と、
前記対象タスクの操縦中の運転者に適した推奨操作期間を前記自律神経系生体情報に基づいて推定する推奨操作期間推定手段と、
前記対象タスクの実操作期間を前記対象タスク以前で且つ対象タスクに近いタイミングで実行されたタスク実行時における前記自律神経系生体情報に基づく期間として推定する実操作期間推定手段と、
前記対象タスクの操作終了以前に前記推奨操作期間と実操作期間の差分に基づき報知する報知手段と、
を備えたことを特徴とする運転支援装置。
【請求項２】
前記報知手段は前記差分が大きい程ゲインを高くすることを特徴とする請求項１に記載の運転支援装置。
【請求項３】
前記自律神経系生体情報が、平常時の運転者の心拍数、血圧、脈波の何れかである第１自律神経系生体情報と、前記対象タスク以前で且つ対象タスクに近いタイミングで実行されたタスク実行時における前記運転者の心拍数、血圧、脈波の何れかである第２自律神経系生体情報とからなることを特徴とする請求項１又は２に記載の運転支援装置。
【請求項４】
前記対象タスクがクラッチペダルの踏込み及び踏戻し操作であり、
前記第１，第２自律神経系生体情報が心周期であることを特徴とする請求項３に記載の運転支援装置。
【手続補正２】
【補正対象書類名】明細書
【補正対象項目名】全文
【補正方法】変更
【補正の内容】
【発明の詳細な説明】
【技術分野】
【０００１】
本発明は、運転者による操作手段の一連操作からなるタスクの実行期間を推定する運転支援装置に関する。
【背景技術】
【０００２】
従来より、運転者が有段変速機の変速操作を手動によって行う手動変速機（ＭＴ）では、変速時、変速ショックを生じることが知られている。
操作手段の１つであるクラッチペダルの操作に連動したクラッチによって有段変速機とエンジンとの接続が遮断された後、シフトレバー操作によりギヤ段が変更されて再度有段変速機とエンジンとが接続される再接続時、有段変速機の回転数とエンジンの回転数が同期していない運転状況が考えられる。
このような運転状況では、車両に回転数差に伴う振動、所謂変速ショックが発生する。
そこで、手動変速機による変速時、変速ショックを抑制するため、シフトアシスト制御に関する技術が提案されている（例えば、特許文献１参照）。
【０００３】
特許文献２の車両の制御装置は、運転者によるシフトレバー操作の動きを撮像する撮像部と、この撮像部によって撮像されたシフトレバー操作の動きから変更されたギヤ段を推定するシフトポジションを推定するシフト操作位置推定部と、エンジン回転数を制御するエンジンＥＣＵとを備え、エンジンＥＣＵが、エンジン回転数をシフト操作位置推定部によって推定されたシフトポジションに応じて制御している。
これにより、運転者によるシフトレバー操作が完了する前に、変更先のシフトポジションに応じたエンジン回転数に迅速に制御される。
【０００４】
ところで、生活環境における人間の生理的な反応行動には、視床下部が中枢として関与しており、この視床下部が自律神経系と内分泌系の２つの調節系によって支えられていることが知られている。
自律神経系による調節の特徴は、迅速な応答性であることから、自律神経系は、外部刺激に相当する様々な外部環境の変化等に基づく姿勢等の身体的条件変化に対する過渡的な応答に対して必須な調節系になっている。
【０００５】
自律神経系は、機能的、形態的分類により交感神経系と副交感神経系とに区分される。
生命維持に不可欠な心臓は、自身で歩調可能な洞房結節から心房、心室に伝播する活動電位により律動的に拍動する自動能によって不随意運動を行い、亢進性の役割を果たす交感神経と、抑制性の役割を果たす迷走神経によって支配されていることも知られている。
即ち、心拍数（脈拍数）の調節現象は、洞房結節に対する交感神経と迷走神経の作用による自律神経系特有のリズムであるため、周期的生体現象である心拍数変動をパラメータとして自律神経の活動を評価することが可能である。
【０００６】
自律神経活動計測手法の１つである心電図は、心臓の電気的活動を体表面で計測し、数値によって可視化することができる。
通常、心電図における心拍変動中において、最も大きい変化を示す変動現象は心拍動のピーク値の１つであるＲ波であるため、特定のＲ波から連続した次のＲ波までの時間をＲＲＩ（R-R Interval、Ｒ−Ｒ間隔又は心周期とも言う）によって表すことができ、このＲＲＩの逆数によって心拍数を表すことができる。
平常時のＲＲＩは、一般に、０．６〜１．０ｓｅｃの範囲に含まれる値である。
また、血圧は、圧受容体を介して心拍数と密接に関連して変動する傾向があるため、心拍数変動と同様に、血圧変動によって自律神経の活動を評価することができる。
【先行技術文献】
【特許文献】
【０００７】
【特許文献１】特開２００７−０３２３４１号公報
【特許文献２】特開２０１６−１１８１６２号公報
【発明の概要】
【発明が解決しようとする課題】
【０００８】
車両の操縦は、走行環境の影響は受けるものの、運転者による操作手段の一連操作からなるタスクの連結であるため、これら個々のタスクの連続が全体として単一の大きな運転タスクを形成する行動モデルであると考えることが可能である。
例えば、操作手段がステアリングホイールの場合、切込み及び切戻しが１タスクに相当し、操作手段がクラッチペダルの場合、踏込み及び踏戻しが１タスクに相当している。
【０００９】
本発明者は、検討を重ねた結果、意のままの操縦感を認識できる状態とは、運転者が運転経験に基づいて操作習熟を終えた状態、換言すれば、再現性が高く且つ半自動的に操縦動作を実行できる半随意運動状態（歩行状態に相当する）であることを知見するに至った。
半随意運動状態は、主に、四肢等の外受容系に係る自律神経系による調節現象であるため、平常時の自律神経系リズムに合致した運動状態は、感覚的に半随意運動状態であり、また、運転者にとって好感を認識できる状態と言える。
つまり、図１０に示すように、操作手段の一連操作からなるタスクを運転者が実際に経験し、この経験により運転者がこのタスクを習熟した場合、タスクが半随意運動化するため、外受容系によるタスクの周期と自律神経系のリズムは同期（協調）傾向を示すものと推測される。
【００１０】
図１１に示すように、人間は、外受容系による運動を行う場合、特に集中度合いが高い程（無意識性が高い程）、随意的統制が容易ではない心拍動のピーク値（Ｒ波）を回避した心周期（以下、Ｒ波回避周期とする）で運動が実行されることから、運転者による一連のタスクも、生体現象の観点から、Ｒ波回避周期に従って実行されることが好ましい。
しかし、実際の車両操縦中において、運転者が特定タスクを自身のＲ波回避周期に合致させることは容易ではない。
しかも、運転者の心周期は外部刺激に相当する外部環境の変化に同調しながら変化する傾向があるため、特定タスクを実際の車両操縦中におけるＲ波回避周期に同調させても、平常時の自律神経系リズムと危険回避時の自律神経系リズムとは異なることから、必ずしも運転者にとって好感を認識できない虞がある。
【００１１】
特許文献２の車両の制御装置は、クラッチが締結される前に推定されたギヤ段に応じたエンジン回転数に制御することにより、変速ショックを防止している。
しかし、特許文献２の車両の制御装置では、運転者によるクラッチペダル操作に係る対象タスクに相当するクラッチペダルの踏込み及び踏戻し動作の実行時間を推定するものではない。この特許文献２の技術は、シフトレバー操作に応じた手の撮像情報に基づきシフトレバー操作中の手の動きの方向を示す操作ベクトルを算出し、算出された操作ベクトルによって変更先のギヤ段を推定した後、推定されたギヤ段と実際の車速を用いて目標エンジン回転数を設定しているため、クラッチの締結タイミングが考慮されることなく、目標エンジン回転数の設定と同時にエンジン回転数が制御される。
それ故、運転者は、変速操作を介して自身にとって好感を認識する周期（心周期）を把握することができず、更に、クラッチの締結タイミングを修正操作することも困難である。
【００１２】
本発明の目的は、視聴覚情報を介してタスク操作期間を運転者が好感を認識する周期に同調可能な運転支援装置等を提供することである。
【課題を解決するための手段】
【００１３】
請求項１の運転支援装置は、運転者による操作手段の一連操作からなるタスクの実行期間を推定する運転支援装置において、運転者の周期的生体情報に基づく自律神経系生体情報を記憶する生体情報記憶手段と、操作開始された対象タスクを検出する対象タスク検出手段と、前記対象タスクの操縦中の運転者に適した推奨操作期間を前記自律神経系生体情報に基づいて推定する推奨操作期間推定手段と、前記対象タスクの実操作期間を前記対象タスク以前で且つ対象タスクに近いタイミングで実行されたタスク実行時における前記自律神経系生体情報に基づく期間として推定する実操作期間推定手段と、前記対象タスクの操作終了以前に前記推奨操作期間と実操作期間の差分に基づき報知する報知手段と、を備えたことを特徴としている。
【００１４】
この運転支援装置では、運転者の周期的生体現象に基づく自律神経系生体情報を記憶する生体情報記憶手段を有するため、運転状況毎に運転者自身の半随意運動状態の周期（自律神経系リズム）を保有することができる。
操作開始された対象タスクを検出する対象タスク検出手段と、前記対象タスクの操縦中の運転者に適した推奨操作期間を前記自律神経系生体情報に基づいて推定する推奨操作期間推定手段と、前記対象タスクの実操作期間を前記対象タスク以前で且つ対象タスクに近いタイミングで実行されたタスク実行時における前記自律神経系生体情報に基づく期間として推定する実操作期間推定手段とを有するため、生体現象として運転者が好感を認識できるタスク操作期間である推奨操作期間と現状において運転者が実行する可能性が高いタスク操作期間である実操作期間とを推定することができる。対象タスクの操作終了以前に前記推奨操作期間と実操作期間の差分に基づき報知する報知手段を有するため、推奨操作期間と実操作期間のずれを運転者に認識させることができ、運転者がずれに基づく修正操作をすることができる。
【００１５】
請求項２の発明は、請求項１の発明において、前記報知手段は前記差分が大きい程ゲインを高くすることを特徴としている。
この構成によれば、差分を報知手段の作動量によって認識させることができる。
【００１６】
請求項３の発明は、請求項１又は２の発明において、前記自律神経系生体情報が、平常時の運転者の心拍数、血圧、脈波の何れかである第１自律神経系生体情報と、前記対象タスク以前で且つ対象タスクに近いタイミングで実行されたタスク実行時における前記運転者の心拍数、血圧、脈波の何れかである第２自律神経系生体情報とからなることを特徴としている。
この構成によれば、簡単な構成で推奨操作期間と実操作期間とを高精度に推定することができる。
【００１７】
請求項４の発明は、請求項３の発明において、前記対象タスクがクラッチペダルの踏込み及び踏戻し操作であり、前記第１，第２自律神経系生体情報が心周期であることを特徴としている。
この構成によれば、クラッチペダルに係る対象タスクにおける推奨操作期間と実操作期間のずれを運転者に認識させることができる。
【発明の効果】
【００１８】
本発明の運転支援装置によれば、視聴覚情報を介してタスク操作期間を運転者が好感を認識する周期に同調させることができる。
【図面の簡単な説明】
【００１９】
【図１】実施例１に係る車両用操作期間推定装置のブロック図である。
【図２】シフトアップ時におけるタイムチャートの例である。
【図３】通常モードにおけるタイムチャートの例である。
【図４】通常モードにおけるタイムチャートの別の例である。
【図５】制振モードにおけるタイムチャートの例である。
【図６】差分とゲインの相関関係を示すグラフである。
【図７】操作期間推定処理手順を示すフローチャートである。
【図８】制振モード制御処理手順を示すフローチャートである。
【図９】通常モード制御処理手順を示すフローチャートである。
【図１０】本発明の着想を示す概念図である。
【図１１】心拍動と運動との関係を示すタイムチャートである。
【発明を実施するための形態】
【００２０】
以下、本発明の実施形態を図面に基づいて詳細に説明する。
以下の説明は、本発明を手動変速機を備えた車両の制御装置１に適用したものを例示したものであり、本発明、その適用物、或いは、その用途を制限するものではない。
【実施例１】
【００２１】
以下、本発明の実施例１について図１〜図９に基づいて説明する。
本実施例の車両は、有段変速機の変速操作を手動によって行う手動変速機（図示略）が搭載されており、運転者によるシフトレバー（図示略）の手動操作を介して有段変速機のギヤ段の切替え（シフト変更）が行われている。
図１に示すように、この車両は、ステアバイワイヤ機構Ｓと、アクセルバイワイヤ機構Ａと、ブレーキバイワイヤ機構Ｂと、運転者による操作手段の一連操作からなるタスクの操作期間（実行期間）を推定可能な制御装置１を備えている。
【００２２】
ステアバイワイヤ機構Ｓは、ステアリングホイール（以下、ステアリングと略す）３と操舵装置（図示略）が機械的に分離形成され、運転者によるステアリング３の操作量に基づきステアリング３に操作反力を付与する反力モータ３ａ等を備えている。
アクセルバイワイヤ機構Ａは、アクセルペダル（以下、アクセルと略す）４とエンジン２のスロットルバルブ（図示略）が機械的に分離形成され、運転者によるアクセル４の操作量に基づきアクセル４に操作反力を付与する反力モータ４ａ等を備えている。
ブレーキバイワイヤ機構Ｂは、ブレーキペダル（以下、ブレーキと略す）５と液圧ブレーキ機構（図示略）が機械的に分離形成され、運転者によるブレーキ５の操作量に基づきブレーキ５に操作反力を付与する反力モータ５ａ等を備えている。
尚、反力モータ３ａ，４ａ，５ａに係る具体的な構成は、本出願人が既に出願しているため、詳細な説明を省略する（特願２０１６−０９９４５６号参照）。
また、同様に、クラッチペダル（以下、クラッチと略す）６についても、クラッチ６に操作反力を付与する反力モータ６ａが設けられている。
【００２３】
制御装置１は、運転者の平常時の第１心周期を基準とする通常モードと変速直前の第２心周期を基準とする制振モードの何れかに切替可能に構成されると共に、エンジン回転数を推定されたタスク操作期間に基づいて変速開始時のエンジン回転数から変速終了後の目標エンジン回転数に制御するように構成されている。
この制御装置１は、操作手段の一連操作からなるタスクの操作期間推定機能及び運転者に対する操作タイミング報知機能を有しているため、操作期間推定装置並びに運転支援装置に相当している。
【００２４】
図１に示すように、制御装置１は、ＥＣＵ（Electronic Control Unit）１０を備えている。このＥＣＵ１０は、ＣＰＵ（Central Processing Unit）と、ＲＯＭと、ＲＡＭと、イン側インタフェースと、アウト側インタフェース等によって構成されている。
ＲＯＭには、操作期間推定処理、通常モード制御処理及び制振モード制御処理するための種々のプログラムやデータが格納され、ＲＡＭには、ＣＰＵが一連の処理を行う際に使用される処理領域が設けられている。
【００２５】
ＥＣＵ１０は、エンジン２と、反力モータ３ａ〜６ａと、点灯装置やスピーカ装置からなる報知手段７と、回転数センサ２１と、車速センサ２２と、舵角センサ２３と、アクセルセンサ２４と、ブレーキセンサ２５と、クラッチセンサ２６と、ナビゲーションシステム２７と、外部ＣＣＤ（Charge Coupled Device）カメラ２８と、内部ＣＣＤカメラ２９と、心拍数センサ３０と、制振モードスイッチ３１等に電気的に接続されている。
そして、ＥＣＵ２は、各センサ類２１〜３１からの入力信号を受けて、エンジン２の回転数制御を行うと共に、反力モータ３ａ，４ａ，５ａ，６ａ及び報知手段７等に対して夫々必要な指令信号を出力している。
【００２６】
反力モータ６ａは、運転者によるクラッチ６の操作量を検出する操作量センサと、クラッチ６の操作量に対応した操作力を検出する操作力センサ（何れも図示略）からの検出信号に基づいて求められた操作反力をクラッチ６に付与するように構成されている。
この反力モータ６ａは、ＥＣＵ１０から出力された指令信号のゲインが大きい程クラッチ６に付与する操作反力が高くなるように形成されている。尚、クラッチ６に付与する操作反力は、運転者によるクラッチ６の操作に支障が生じない範囲で制御されている。
報知手段７の点灯装置は、例えば、インスツルメントパネルの中央部位に設置され、ＥＣＵ１０から出力された指令信号のゲインが大きい程表示ランプの輝度が高くなる或いは点灯領域が拡大するように制御されている。
スピーカ装置は、例えば、インスツルメントパネルの左右両端部位に設置され、ＥＣＵ１０から出力された指令信号のゲインが大きい程出力される報知音量が大きくなるように制御されている。
【００２７】
次に、各センサ類２１〜３１について説明する。
回転数センサ２１は、エンジン２のクランク軸回転数に応じた信号を出力し、車速センサ２２は、車両の移動速度に応じた信号を出力する。舵角センサ２３は、運転者によるステアリング３の操舵角に関連する信号を出力し、アクセルセンサ２４は、運転者によるアクセル４の踏込量を検出して検出信号を出力する。
ブレーキセンサ２５は、運転者によるブレーキ５の踏込操作を検出してオン操作検出信号を出力し、ブレーキ５の踏戻操作を検出してオフ操作検出信号を出力する。クラッチセンサ２６は、運転者によるクラッチ６の踏込操作を検出してオン操作検出信号を出力し、クラッチ６の踏戻操作を検出してオフ操作検出信号を出力する。
【００２８】
ナビゲーションシステム２７は、車両の経路案内を行うシステムである。
ナビゲーションシステム２７には、車両の現在位置を検出するためのＧＰＳ受信部（図示略）が電気的に接続されている。ＧＰＳ受信部は、複数のＧＰＳ衛星からの信号を受信することで車両の現在位置を検出する。また、ナビゲーションシステム２７は、高速道路の出入口や合流位置等の道路地図データを記憶した地図データベースと、交通規則データを記憶した交通規則データベース（何れも図示略）等を備えている。
これにより、ナビゲーションシステム２７は、車両の現在位置データ及び道路地図データ等をＥＣＵ１０に出力する。
【００２９】
外部ＣＣＤカメラ２８は、例えば、ルームミラー（図示略）に内蔵して配設されている。
この外部ＣＣＤカメラ２８は、車体前方を監視領域として設定され、所定の視野角内の画像を撮像可能に構成されている。外部ＣＣＤカメラ２８によって撮像された画像により、自車両の走行レーン内に進入する（割り込む）先行車両の割り込み度合いを判定している。
内部ＣＣＤカメラ２９は、例えば、運転席上方の天井に配設されている。
この内部ＣＣＤカメラ２９は、シフトレバーの操作範囲を含むシフト領域を監視領域として設定され、運転者の手の位置や動きの画像を撮像可能に構成されている。内部ＣＣＤカメラ２９によって撮像された画像により、変速時、シフトレバーの変更先の操作位置、所謂変速終了後のギヤ段を判定している。
【００３０】
心拍数センサ３０は、例えば、シートの座面又は背面等に配設された複数の電極によって構成されている。
この心拍数センサ３０は、車両操縦中の運転者の心筋が伸縮するときの刺激伝導に伴う脱分極によって各電極間に生じる電位差に基づき心拍動（図１１参照）を検出可能に構成されている。心拍数センサ３０によって検出された心拍動履歴、所謂心拍数変動により、運転状況毎の心周期（ＲＲＩ）を判定している。
心周期とは、所定期間内における心拍動のＲ波とこのＲ波に隣接したＲ波との時間間隔における平均値である。
尚、心拍数センサ３０は、運転者が把持しているステアリング３に配設しても良く、運転者が携帯する計測機能付携帯端末装置を心拍数センサ３０とし、ＥＣＵ１０に対して送信可能に構成しても良い。
【００３１】
制振モードスイッチ３１は、例えば、ステアリング３に装備されている。
この制振モードスイッチ３１は、運転者によって切替操作されたときのみＨレベルの信号が出力され、それ以外のときはＬレベルの信号が出力されるモーメンタリ式切替スイッチによって構成されている。オフ状態に操作された通常モードのとき、運転者が制振モードスイッチ３１をオン状態に切替操作した場合、制振モード制御の実行を許可する制振モードが設定され、オン状態に操作された制振モードのとき、運転者が制振モードスイッチ３１をオフ状態に切替操作した場合、制振モード制御の実行を停止して通常モードが設定される。
【００３２】
次に、ＥＣＵ１０について説明する。
ＥＣＵ１０は、操作手段の一連操作からなるタスクの実行時間を推奨操作期間Ｔ１と実操作期間Ｔ２（Ｔ３）との２種類の操作期間を用いて推定している。
推奨操作期間Ｔ１は、平常時（日常）の最も平均的な心周期を基準にした操作期間であり、歩行等のように再現性が高く且つ半自動的にタスクを実行可能な操作期間である。それ故、運転者にとって推奨操作期間Ｔ１に合ったタスクの実行は、主観的に好感を認識することができる動作である。
実操作期間Ｔ２（Ｔ３）は、推定する対象タスクの直前状態の心周期を基準にした操作期間であり、実際の運転状況を反映した運転者の自律神経系リズムに合致する操作期間である。それ故、運転者は、周期的生体現象として、無意識的に実操作期間Ｔ２（Ｔ３）に合ったタスクを実行する可能性が高い。
【００３３】
図１に示すように、ＥＣＵ１０は、記憶部１１と、ギヤ段推定部１２と、推奨操作期間推定部１３と、実操作期間推定部１４と、走行状態判定部１５と、エンジン回転数制御部１６と、差分演算部１７と、ゲイン設定部１８等を備えている。
以下、本実施例では、クラッチ６を操作手段とし、変速時における運転者の踏込み及び踏戻し操作を対象タスクとした例について説明を行う。
【００３４】
まず、記憶部１１について説明する。
記憶部１１は、平常時における半随意運動中の第１心周期（第１自律神経系生体情報）を記憶している。この第１心周期は、車両操縦開始以前に、予め日常生活の歩行等の心拍数変動の平均値に基づいて取得している。
また、この記憶部１１は、心拍数センサ３０の検出信号に基づいて車両操縦中の心拍数変動を記憶している。この車両操縦中の心拍数変動に基づき、対象タスクの直前の操作手段のタスク、例えば、クラッチ６の操作前に操作するブレーキ５の踏込み及び踏戻し或いはアクセル４の踏戻し等、の実行中における移動平均による心周期を第２心周期（第２自律神経系生体情報）として記憶している。
【００３５】
次に、ギヤ段推定部１２について説明する。
ギヤ段推定部１２は、予め保持する運転者によるシフトレバー操作が成されていない基準画像と内部ＣＣＤカメラ２９から入力された入力画像とを比較してシフトレバー操作の動きに関する差分を時系列に取得し、取得した差分情報によってシフトレバーの操作ベクトルを算出して変速先のギヤ段を運転者によるシフトレバー操作完了前に推定している。
尚、シフトレバーのガイド溝に位置センサを配設し、この位置センサによって変速先のギヤ段を検出しても良い。
【００３６】
次に、推奨操作期間推定部１３について説明する。
推奨操作期間推定部１３は、記憶部１１に記憶された第１心周期に基づき、対象タスクの推奨操作期間Ｔ１を推定している。
図２に示すように、例えば、ギヤ段を２速から３速にシフトアップする場合、運転者はｔ０からアクセル４の踏戻し（操作手段のタスク）を開始し、アクセル４の踏戻し終了時点であるｔ１からのブレーキ５の踏込みによって車両を減速した後、ブレーキ５の踏戻し終了時点であるｔ２にクラッチ６の踏込みを行う。そして、クラッチ６踏込み後のｔ３において、シフトレバー操作によりギヤ段を２速から３速に変更し、シフトレバー操作後のｔ４にクラッチ６の踏戻し操作を行ってシフトアップを完了する。
尚、説明の便宜上、運転者によるクラッチ６の操作を単純モデル化している。
この推奨操作期間推定部１３では、クラッチ６の踏込みタイミングｔ２から踏戻しタイミングｔ４までの操作期間を記憶部１１に記憶された平常時の第１心周期と同一期間である推奨操作期間Ｔ１として推定している。
【００３７】
次に、実操作期間推定部１４について説明する。
実操作期間推定部１４は、記憶部１１に記憶された第２心周期に基づき、対象タスクの実操作期間Ｔ２を推定している。
ギヤ段を２速から３速にシフトアップする際、運転者の自律神経系が平常時よりも活性化していない場合、クラッチ６の操作以前のアクセル４の操作やブレーキ５の操作実行中の第２心周期は、自律神経系の影響を受けて第１心周期よりも大きい値になる。
図３に示すように、ｔ０からｔ１までのアクセル４の踏戻し実行中の第２心周期が第１心周期よりも大きい場合、実操作期間推定部１４では、クラッチ６の踏込みタイミングｔ２から踏戻しタイミングｔ５（ｔ４＜ｔ５）までの操作期間を記憶部１１に記憶されたｔ０からｔ１までのアクセル４の踏戻し実行中の第２心周期と同一期間である実操作期間Ｔ２（Ｔ１＜Ｔ２）として推定している。
【００３８】
また、ギヤ段を２速から３速にシフトアップする際、運転者の自律神経系が平常時よりも活性化している場合、クラッチ６の操作以前のアクセル４の操作やブレーキ５の操作実行中の第２心周期は、自律神経系の影響を受けて第１心周期よりも小さい値になる。
図４に示すように、ｔ０からｔ１までのアクセル４の踏戻し実行中の第２心周期が第１心周期よりも小さい場合、実操作期間推定部１４では、クラッチ６の踏込みタイミングｔ２から踏戻しタイミングｔ６（ｔ６＜ｔ４）までの操作期間を記憶部１１に記憶されたｔ０からｔ１までのアクセル４の踏戻し実行中の第２心周期と同一期間である実操作期間Ｔ３（Ｔ３＜Ｔ１）と推定している。
尚、ギヤ段推定部１２がシフトアップを検出した場合、推奨操作期間推定部１３と実操作期間推定部１４は、記憶部１１に記憶された第１心周期及び第２心周期に基づき推定された対象タスクの推奨操作期間及び実操作期間よりも更に短縮する、例えば、推定された操作期間を８０〜９０％にする、補正しても良い。エンジン回転数の減少不足に起因したショックの発生を確実に防止するためである。
【００３９】
次に、走行状態判定部１５について説明する。
走行状態判定部１５は、危険回避時を判定したとき、通常モード制御を禁止して制振モード制御を実行することにより、第２心周期に基づく対象タスクの操作期間の推定のみを有効化し、高速合流時又は発進時を判定したとき、通常モード制御及び制振モード制御を禁止することにより、対象タスクの操作期間の推定自体を無効化している。
この走行状態判定部１５は、対象タスクの操作期間を第２心周期に基づき高精度に判定できる走行状態と、第２心周期に基づき高精度に判定できない走行状態とを判定している。
自車両の走行レーン内に先行車両が割り込んだ場合、運転者は反射的に危険回避動作を行う必要があるため、対象タスクの操作期間は自律神経系の影響を多分に受ける。
それ故、危険回避時は、第２心周期に基づき対象タスクの操作期間を高精度に判定できる走行状態である。そこで、先行車両の割り込み度合いが所定の閾値よりも高いという条件が成立したとき、危険回避時を判定している。
【００４０】
高速道路において、加速レーンから本線に合流する場合、運転者は本線を走行する他車両の状況に合わせた操縦をする必要があるため、対象タスクの操作期間は自律神経系よりも運転者の意識の影響を多分に受ける。それ故、高速合流時は、第２心周期に基づき対象タスクの操作期間を高精度に判定できない走行状態である。そこで、ナビゲーションシステム２７から入力した道路地図データに基づき高速合流時を判定している。
また、車両を発進させる場合、運転者は周囲の状況に合わせた操縦をする必要があるため、高速合流時と同様に、運転者の意識の影響を多分に受ける。それ故、発進時は、第２心周期に基づき対象タスクの操作期間を高精度に判定できない走行状態である。そこで、車速が零、アクセルセンサ２４が踏込操作、ブレーキセンサ２５がオフ操作の全ての条件が成立したとき、発進時を判定している。
【００４１】
次に、エンジン回転数制御部１６について説明する。
エンジン回転数制御部１６は、推定された変速先のギヤ段と車速とに基づき変速終了後の目標エンジン回転数Ｒ２を演算し、エンジンの回転数が変速開始時のエンジン回転数Ｒ１から目標エンジン回転数Ｒ２に対して漸近するように構成されている。
このエンジン回転数制御部１６は、通常モード制御と制振モード制御の２種類のモード制御を実行可能に形成されている。制振モード制御の実行中、フラグＦに１が代入され、通常モード制御の実行中、フラグＦに２が代入され、何れの制御も実行されていないとき、フラグＦに０が代入されている。
【００４２】
まず、通常モード制御について説明する。
通常モードが設定されたとき、エンジン回転数制御部１６は、変速終了時として推定された推奨操作期間Ｔ１の終期、所謂変速開始から推奨操作期間Ｔ１経過した時点においてエンジン回転数を目標エンジン回転数Ｒ２に制御している。
エンジン回転数制御部１６は、変速開始時のエンジン回転数Ｒ１と推奨操作期間Ｔ１経過時のエンジン回転数Ｒ２に基づきゲインとしての制御係数ｋ１を設定し、この制御係数ｋ１に基づきエンジン２を制御している。
【００４３】
図３に示すように、運転者による実際の対象タスク操作期間が推奨操作期間Ｔ１よりも長い場合、Ｐ１地点から制御係数ｋ１に基づきエンジン回転数が線形状に減少され、Ｐ２地点でエンジン回転数が目標エンジン回転数Ｒ２に到達するように制御される。
Ｐ２地点では、運転者によるクラッチ６の踏戻しが終了していないため、制御係数ｋ１に基づくエンジン回転数の減少制御が継続される。
運転者による対象タスク（クラッチ６の踏戻し）が終了するＰ３（ｔ５）地点において、エンジン回転数の減少制御が終了され、エンジン回転数Ｒ３は目標エンジン回転数Ｒ２に強制的に移行される。これにより、エンジン回転数Ｒ３から目標エンジン回転数Ｒ２への移行に伴う変速ショックによって、運転者は自己の対象タスク実行時間と推奨操作期間Ｔ１とのずれ量を認識することができ、対象タスクに対して学習が行われる。
【００４４】
図４に示すように、運転者による実際の対象タスク操作期間が推奨操作期間Ｔ１よりも短い場合、Ｐ１地点から制御係数ｋ１に基づきエンジン回転数が線形状に減少され、Ｐ２（ｔ４）地点でエンジン回転数が目標エンジン回転数Ｒ２に到達するように制御される。
Ｐ２よりも早いＰ４（ｔ６）地点で、運転者によるクラッチ６の踏戻しが終了するため、エンジン回転数の減少制御が終了され、エンジン回転数Ｒ４は目標エンジン回転数Ｒ２に強制的に移行される。これにより、エンジン回転数Ｒ４から目標エンジン回転数Ｒ２への移行に伴う変速ショックによって、運転者は自己の対象タスク実行時間と推奨操作期間Ｔ１とのずれ量を認識することができ、対象タスクに対して学習が行われる。
尚、図２に示すように、通常モードが設定されていても、運転者による実際の対象タスク操作期間が推奨操作期間Ｔ１と同じ長さの場合、運転者によるクラッチ６の踏戻しタイミングと目標エンジン回転数到達タイミングとが同時期になるため、変速ショックは発生しない。
【００４５】
次に、制振モード制御について説明する。
制振モードが設定されたとき、エンジン回転数制御部１６は、実操作期間Ｔ２の間、所謂変速開始から実操作期間Ｔ２経過する間においてエンジン回転数を目標エンジン回転数Ｒ２に制御している。
エンジン回転数制御部１６は、変速開始時のエンジン回転数Ｒ１と実操作期間Ｔ２経過時におけるエンジン回転数Ｒ２に基づきゲインとしての制御係数ｋ２を設定し、この制御係数ｋ２に基づきエンジン２を制御している。
【００４６】
図５に示すように、運転者による実際の対象タスク操作期間が推奨操作期間Ｔ１よりも長い場合、Ｐ１地点から制御係数ｋ２に基づきエンジン回転数が線形状に減少され、Ｐ５（ｔ５）地点でエンジン回転数が目標エンジン回転数Ｒ２に到達するように制御される。
Ｐ５地点で、運転者によるクラッチ６の踏戻しが終了するため、エンジン回転数の減少制御が終了され、エンジン回転数は目標エンジン回転数Ｒ２に維持される。
これにより、対象タスク操作期間が推奨操作期間Ｔ１と異なる場合、或いは危険回避等によって平常時の対象タスク操作期間と異なる場合であっても、変速ショックを発生させることなく対象タスクを含む運転者による変速操作を完了することができる。
【００４７】
また、図５に示すように、エンジン回転数制御部１６は、変速開始時のエンジン回転数Ｒ１と実操作期間Ｔ２経過前のｔ７におけるエンジン回転数Ｒ２に基づき制御係数ｋ３を設定しても良く、変速開始時のエンジン回転数Ｒ１と実操作期間Ｔ２経過前のｔ２におけるエンジン回転数Ｒ２に基づき制御係数ｋ４を設定することも可能である。
何れの場合も、エンジン回転数Ｒ２に到達後、クラッチ６の踏戻しが終了するまでエンジン回転数Ｒ２に維持されている。
この制御係数ｋ２〜ｋ４は、シフトダウン時、勾配が小さい程違和感が小さく、勾配が大きい程燃費改善に有利である。
【００４８】
次に、差分演算部１７とゲイン設定部１８について説明する。
差分演算部１７は、推奨操作期間Ｔ１と実操作期間Ｔ２（Ｔ３）との差分ΔＴを次式（１）によって演算している。
ΔＴ＝｜Ｔ１−Ｔ２｜                                              …（１）
これにより、平常時に運転者が主観的に好感を認識できる推奨操作期間Ｔ１と実際に運転者による実行が予想される実操作期間Ｔ２（Ｔ３）との差を求めている。
【００４９】
ゲイン設定部１８は、差分演算部１７で求められた差分ΔＴに対応したゲインをＥＣＵ１０に格納されたマップに基づき設定し、反力モータ６ａと報知手段７に出力している。
図６に示すように、ゲインは差分ΔＴに対して対数関数状に設定されている。
本実施例では、運転者が対象タスクに対して学習意欲を有する通常モードが設定された場合、反力モータ６ａと報知手段７がゲインに応じて作動するように構成されている。
【００５０】
次に、図７〜図９のフローチャートに基づいて、操作期間推定処理手順について説明する。尚、Ｓｉ（ｉ＝１，２…）は、各処理のためのステップを示す。
図７のフローチャートに示すように、操作期間推定処理では、まず、Ｓ１にて、各センサの検出値、記憶部１１に記憶されている第１，第２心周期及び記憶部制振モードスイッチ３１の信号を含む各種情報を読み込み、Ｓ２へ移行する。
【００５１】
Ｓ２では、現在の状態が高速合流時又は発進時か否か判定する。
Ｓ２の判定の結果、現在の状態が高速合流時又は発進時の場合、対象タスクの操作期間を高精度に判定できない走行状態であるため、各モード制御を終了し（Ｓ１７）、フラグＦに０を代入した後（Ｓ１８）、リターンする。
Ｓ２の判定の結果、現在の状態が高速合流時又は発進時ではない場合、Ｓ３に移行し、クラッチセンサ２６がオン操作された状態か否か判定する。
【００５２】
Ｓ３の判定の結果、クラッチセンサ２６がオン操作された状態の場合、変速開始又は変速実行中であるため、Ｓ４に移行し、フラグＦに０が代入されているか否か判定する。
Ｓ４の判定の結果、フラグＦに０が代入されている場合、何れのモード制御も実行されていないため、Ｓ５に移行し、第１心周期に基づき推奨操作期間Ｔ１を推定する。
次に、第２心周期に基づき実操作期間Ｔ２を推定した後（Ｓ６）、Ｓ７に移行し、現在の車速と変更先のギヤ段に基づき変速終了後の目標エンジン回転数Ｒ２を設定する。
【００５３】
次に、Ｓ８に移行し、現在の状態が危険回避時か否か判定する。
Ｓ８の判定の結果、現在の状態が危険回避時ではない場合、Ｓ９に移行し、制振モードスイッチ３１がオン操作されたか否か判定する。
Ｓ９の判定の結果、制振モードスイッチ３１がオン操作された場合、Ｓ１０に移行し、制振モードを実行してリターンする。
Ｓ９の判定の結果、制振モードスイッチ３１がオン操作されていない場合、Ｓ１１に移行し、通常モードを実行してリターンする。
Ｓ８の判定の結果、現在の状態が危険回避時である場合、第２心周期に基づき対象タスクの操作期間を高精度に判定できる走行状態であるため、Ｓ１０に移行する。
【００５４】
Ｓ４の判定の結果、フラグＦに０が代入されていない場合、Ｓ１２に移行し、フラグＦに１が代入されているか否か判定する。
Ｓ４の判定の結果、フラグＦに１が代入されている場合、既に制振モード制御が実行中であるため、Ｓ２３に移行する。
Ｓ４の判定の結果、フラグＦに１が代入されていない場合、既に通常モード制御が実行中であるため、Ｓ２３に移行する。
【００５５】
Ｓ３の判定の結果、クラッチセンサ２６がオフ操作された状態の場合、変速終了であるため、Ｓ１３に移行し、フラグＦに２が代入されているか否か判定する。
Ｓ１３の判定の結果、フラグＦに２が代入されている場合、既に通常モード制御が実行中であるため、Ｓ１４に移行する。
Ｓ１３の判定の結果、フラグＦに２が代入されていない場合、変速中ではなく、また、通常モード制御も実行されてないため、リターンする。
Ｓ１４では、通常モード制御を終了し、フラグＦに０を代入した後（Ｓ１５）、Ｓ１６に移行する。
Ｓ１６では、報知手段７の作動を停止して、リターンする。
【００５６】
次に、Ｓ１０の制振モード制御について説明する。
図８のフローチャートに示すように、制振モード制御処理では、まず、Ｓ２１にて、フラグＦに１を代入して、Ｓ２２に移行する。
Ｓ２２では、制御係数ｋ２を演算し、制御係数ｋ２に基づくエンジン回転数制御を実行した後（Ｓ２３）、Ｓ２４に移行する。
Ｓ２４では、エンジン回転数が目標エンジン回転数Ｒ２に到達したか否か判定する。
Ｓ２４の判定の結果、エンジン回転数が目標エンジン回転数Ｒ２に到達した場合、制振モード制御を終了し（Ｓ２５）、フラグＦに０を代入した後（Ｓ２６）、終了する。
Ｓ２４の判定の結果、エンジン回転数が目標エンジン回転数Ｒ２に到達していない場合、終了する。
【００５７】
次に、Ｓ１１の通常モード制御について説明する。
図９のフローチャートに示すように、通常モード制御処理では、まず、Ｓ３１にて、フラグＦに２を代入して、Ｓ３２に移行する。
Ｓ３２では、制御係数ｋ１を演算し、制御係数ｋ１に基づくエンジン回転数制御を実行した後（Ｓ３３）、Ｓ３４に移行する。
Ｓ３４では、推奨操作期間Ｔ１と実操作期間Ｔ２が一致するか否か判定する。
Ｓ３４の判定の結果、推奨操作期間Ｔ１と実操作期間Ｔ２が一致する場合、終了する。
Ｓ３４の判定の結果、推奨操作期間Ｔ１と実操作期間Ｔ２が一致しない場合、Ｓ３５に移行する。Ｓ３５では、差分ΔＴに対応したゲインに基づき報知手段７を作動させた後、終了する。また、同時に、反力モータ６ａについてもゲインに基づき作動を開始する。
【００５８】
次に、本実施例の制御装置１における作用、効果について説明する。
この制御装置１では、運転者の周期的生体現象である心拍数に基づく第１，第２心周期を記憶する記憶部１１を有するため、運転状況毎に運転者自身の半随意運動状態の周期（自律神経系リズム）を保有することができる。
操作開始された対象タスクを検出するクラッチセンサ２６と、対象タスクの操縦中の運転者に適した推奨操作期間Ｔ１を第１心周期に基づいて推定する推奨操作期間推定部１３と、対象タスクの実操作期間Ｔ２（Ｔ３）を対象タスク以前のタスク実行時における第１心周期に基づいて推定する実操作期間推定部１４とを有するため、生体現象として運転者が好感を認識できるタスク操作期間である推奨操作期間Ｔ１と現状において運転者が実行する可能性が高いタスク操作期間である実操作期間Ｔ２（Ｔ３）とを推定することができる。対象タスクの操作終了以前に推奨操作期間Ｔ１と実操作期間Ｔ２（Ｔ３）の差分ΔＴに基づき報知する報知手段７を有するため、推奨操作期間Ｔ１と実操作期間Ｔ２（Ｔ３）のずれを運転者に認識させることができ、運転者がずれに基づく修正操作をすることができる。
【００５９】
報知手段７は前記差分が大きい程ゲインを高くするため、差分ΔＴを報知手段の作動量によって認識させることができる。
生体情報記憶手段が、平常時の心拍数、血圧、脈波の何れかである第１自律神経系生体情報と、対象タスク以前のタスク実行時における第２自律神経系生体情報とを記憶するため、簡単な構成で推奨操作期間Ｔ１と実操作期間Ｔ２（Ｔ３）とを高精度に推定することができる。
【００６０】
対象タスクがクラッチ６の踏込み及び踏戻し操作であり、第１，第２自律神経系生体情報が心周期であるため、クラッチ６に係る対象タスクにおける推奨操作期間Ｔ１と実操作期間Ｔ２（Ｔ３）のずれを運転者に認識させることができる。
【００６１】
次に、前記実施形態を部分的に変更した変形例について説明する。
１〕前記実施形態においては、操作手段がクラッチ、対象タスクがクラッチの踏込み及び踏戻しの例を説明したが、少なくとも運転者の周期的生体現象に基づくタスクであれば適用可能であり、走行状態を限定した上でアクセル又はブレーキの踏込み及び踏戻しを対象タスクとしても良く、踏込み又は踏戻しの一方のみを対象タスクとしても良い。
また、変速時においては、シフトアップに限られずシフトダウンにも適用可能である。
【００６２】
２〕前記実施形態においては、運転者の周期的生体現象に基づく生体情報として心周期の例を説明したが、少なくとも運転者の自律神経系生体情報を反映できれば良く、血圧変動周期や指尖脈波による脈波変動周期を用いても良い。
【００６３】
３〕前記実施形態においては、通常モードが設定された場合、クラッチの反力モータと報知手段を作動させる例を説明したが、通常モードと制振モードの両モードにおいて実行することも可能である。
【００６４】
４〕前記実施形態においては、アクセルの踏戻し操作中における平均心周期に基づき実操作期間を求める例を説明したが、少なくともクラッチに係る対象タスク以前のタスクであれば良く、アクセルの踏込み操作中の平均心周期でも良く、アクセル操作後のブレーキ踏込み及び踏戻し操作中の平均心周期であっても良い。
【００６５】
５〕前記実施形態においては、推奨操作期間と実操作期間の差の絶対値によって差分を求め、クラッチの操作反力を差分に基づくゲインを用いて制御する例を説明したが、ゲインを推奨操作期間と実操作期間の差に基づいて求めても良い。具体的には、推奨操作期間と実操作期間の差がプラス（操作が速い）場合、差に応じて操作反力を大きくし、推奨操作期間と実操作期間の差がマイナス（操作が遅い）場合、差に応じて操作反力を小さくする。
【００６６】
６〕その他、当業者であれば、本発明の趣旨を逸脱することなく、前記実施形態に種々の変更を付加した形態で実施可能であり、本発明はそのような変更形態も包含するものである。
【符号の説明】
【００６７】
１          制御装置
４          アクセル
５          ブレーキ
６          クラッチ
７          報知手段
１０        ＥＣＵ
１１        記憶部
１３        推奨操作期間推定部
１４        実操作期間推定部
２６        クラッチセンサ